(57)【要約】【課題】  印刷装置において、印刷に用いる用紙の長さにかかわらず、印刷データのデコード処理をするデコーダを有効に用いることを可能とする。【解決手段】  受信バッファ６から、圧縮印刷データである、Ｙのｅｖｅｎデータはデコーダ５０１に、Ｙのｏｄｄデータはデコーダ５０２に、Ｍのｅｖｅｎデータはデコーダ５０３に、Ｍのｏｄｄデータはデコーダ５０４にそれぞれ転送されてデコードされる。復元されたビデオデータはＦＩＦＯ５０５〜５０８およびセレクタ５０９を介し順次ビデオＩ／Ｆ５１０に出力される。その後、処理を終了したデコーダに対して、同様にＣのｅｖｅｎデータはデコーダ５０１に、Ｃのｏｄｄデータはデコーダ５０２に、Ｋのｅｖｅｎデータはデコーダ５０３に、Ｋのｏｄｄデータはデコーダ５０４にそれぞれ転送し、順次ビデオＩ／Ｆ５１０に出力される。【選択図】  図４
2005283904.tif 000002
【特許請求の範囲】
【請求項１】
用紙の搬送路に沿って配置された複数の画像形成部により前記用紙上に複数色の画像を重ね合わせてカラー画像を形成する画像形成装置において、
外部装置から受信した複数色にかかる受信データを記憶する記憶手段と、
前記複数の画像形成部に対応して設けられ、前記受信データを前記画像形成部にて用いる画像データに変換処理する複数のデータ処理手段と、
前記記憶手段から前記データ処理手段への前記受信データの転送を制御する制御手段とを有し、
前記制御手段は、所定色にかかる前記受信データを前記複数のデータ処理手段のいずれか１つへ転送するよう制御する第１の制御モードと、前記所定色にかかる前記受信データを２以上の複数の前記データ処理手段へ転送するよう制御する第２の制御モードとを有することを特徴とする画像形成装置。
【請求項２】
前記複数のデータ処理手段から前記複数の画像形成部への前記画像データの出力先を選択する選択手段を有し、
前記選択手段は、前記第１の制御モードにおいては前記データ処理手段から出力される前記画像データを前記複数の画像形成部のいずれか１つへ転送させ、前記第２の制御モードにおいては２以上の前記データ処理手段から出力される２以上の画像データを前記複数の画像形成部のいずれか１つへ転送させるよう前記画像データの出力先を選択することを特徴とする請求項１に記載の画像形成装置。
【請求項３】
前記第２の制御モードは、前記受信データを複数ラインからなるバンドデータとして前記第１のデータ処理手段及び前記第２のデータ処理手段に交互に転送するモードであることを特徴とする請求項２に記載の画像形成装置。
【請求項４】
前記選択手段は、前記第１のデータ処理手段から出力される第１の画像データと前記第２のデータ処理手段から出力される第２の画像データを前記複数の画像形成部のいずれか１つへ転送させるよう前記画像データの出力先を選択することを特徴とする請求項３に記載の画像形成装置。
【請求項５】
前記制御手段は、前記複数の画像形成部にて画像形成される用紙の搬送方向の長さが所定長より長い場合は前記第１の制御モードとし、前記用紙の搬送方向の長さが前記所定長より短い場合は前記第２の制御モードとすることを特徴とする請求項１に記載の画像形成装置。
【請求項６】
複数種類の記録剤を用いて用紙に印刷を行う画像形成装置であって、
前記複数種類の記録剤それぞれに対応した印刷データをデコード処理するデコーダであって、少なくとも前記記録剤の種類の数に対応した数のデコーダと、
該デコーダによってデコード処理された印刷データに基づき用紙に対し画像形成を行う手段であって、前記複数の記録剤それぞれに対応した画像形成手段と、
前記複数種類の記録剤における所定の複数の記録剤（ＹとＣ、またはＭとＫ、またはＹとＫ）の印刷データそれぞれについて、複数のデコーダ（５０１と５０２、または５０３と５０４、または５０１と５０２）を用いて分割したデコード処理を行い、かつ、当該所定の複数の記録剤の印刷データ（ＹとＣ、またはＭとＫ、またはＹとＫ）について前記複数のデコーダ（５０１と５０２、または５０３と５０４、または５０１と５０２）それぞれにおいて相互に時分割でデコード処理を行わせるデコード制御手段と、
を具えたことを特徴とする画像形成装置。
【請求項７】
前記複数の記録剤それぞれに対応した画像形成手段の画像形成部は、それぞれ前記用紙が搬送される搬送路に沿って配置され、前記デコード制御手段は、複数の前記画像形成部が配置される範囲の前記搬送路に沿った長さより当該搬送される用紙の長さが短い所定の関係に基づいて、前記デコード処理の制御を行うことを特徴とする請求項６に記載の画像形成装置。
【請求項８】
前記複数のデコーダによってデコード処理された印刷データについて、搬送される１枚の用紙に対する前記複数の画像形成部それぞれの画像形成タイミングに同期して、複数の前記画像形成手段にそれぞれ対応する印刷データを供給する同期手段をさらに具えたことを特徴とする請求項７に記載の画像形成装置。
【請求項９】
前記同期手段は、ＦＩＦＯを有したことを特徴とする請求項８に記載の画像形成装置。
【請求項１０】
複数種類の記録剤を用いて用紙に印刷を行うための画像形成方法であって、
前記複数種類の記録剤それぞれに対応した印刷データをデコード処理するデコーダであって、少なくとも前記記録剤の種類の数に対応した数のデコーダと、該デコーダによってデコード処理された印刷データに基づき用紙に対し画像形成を行う手段であって、前記複数の記録剤それぞれに対応した画像形成手段とを用意し、
前記複数種類の記録剤における所定の複数の記録剤（ＹとＣ、またはＭとＫ、またはＹとＫ）の印刷データそれぞれについて、複数のデコーダ（５０１と５０２、または５０３と５０４、または５０１と５０２）を用いて分割したデコード処理を行い、かつ、当該所定の複数の記録剤の印刷データ（ＹとＣ、またはＭとＫ、またはＹとＫ）について前記複数のデコーダ（５０１と５０２、または５０３と５０４、または５０１と５０２）それぞれにおいて相互に時分割でデコード処理を行わせる、
ステップを有したことを特徴とする画像形成方法。
【請求項１１】
前記複数の記録剤それぞれに対応した画像形成手段の画像形成部は、それぞれ前記用紙が搬送される搬送路に沿って配置され、前記デコード制御手段は、複数の前記画像形成部が配置される範囲の前記搬送路に沿った長さより当該搬送される用紙の長さが短い所定の関係に基づいて、前記デコード処理の制御を行うことを特徴とする請求項１０に記載の画像形成方法。
【請求項１２】
前記複数のデコーダによってデコード処理された印刷データについて、搬送される１枚の用紙に対する前記複数の画像形成部それぞれの画像形成タイミングに同期して、複数の前記画像形成手段にそれぞれ対応する印刷データを供給するステップをさらに有したことを特徴とする請求項１１に記載の画像形成方法。
【請求項１３】
情報処理装置に、複数種類の記録剤を用いて用紙に印刷を行うための印刷情報処理を実行させるプログラムであって、
前記複数種類の記録剤それぞれに対応した印刷データをデコード処理するデコーダであって、少なくとも前記記録剤の種類の数に対応した数のデコーダと、該デコーダによってデコード処理された印刷データに基づき用紙に対し画像形成を行う手段であって、前記複数の記録剤それぞれに対応した画像形成手段とを用意し、
前記複数種類の記録剤における所定の複数の記録剤（ＹとＣ、またはＭとＫ、またはＹとＫ）の印刷データそれぞれについて、複数のデコーダ（５０１と５０２、または５０３と５０４、または５０１と５０２）を用いて分割したデコード処理を行い、かつ、当該所定の複数の記録剤の印刷データ（ＹとＣ、またはＭとＫ、またはＹとＫ）について前記複数のデコーダ（５０１と５０２、または５０３と５０４、または５０１と５０２）それぞれにおいて相互に時分割でデコード処理を行わせる、
ステップを有した処理を有したことを特徴とするプログラム。
【発明の詳細な説明】
【技術分野】
【０００１】
本発明は、画像形成装置及び画像形成方法に関するものである。
【背景技術】
【０００２】
従来、レーザビームプリンタなどの画像形成装置では、用いるトナー（記録剤）の色ごとに感光ドラム（像担持体）などの画像形成ユニットを備えたものが知られている。例えば、シアン（Ｃ）、マゼンタ（Ｍ）、イエロー（Ｙ）、ブラック（Ｋ）の４種類のトナーを用いて用紙（記録媒体）上に画像形成を行う装置では、用紙を搬送する搬送路に沿って４つの画像形成ユニットが設けられる。また、画像形成装置では、ホスト装置（外部装置）から送られる印刷データが圧縮されたデータとして受信バッファにて受信され、それをデコーダを用いて復元して用いることが多い。この場合、上記のような用いるトナーの色ごとに画像形成ユニットを具える画像形成装置では、これらユニットによる画像形成動作に同期して印刷データを供給するために、デコード処理を複数のデコーダを用いてトナーの種類ごとに並列に行うのが一般的である。
【０００３】
図１は、一従来例に係るプリンタの、特に、デコード処理の構成を示す図である。図１に示すように、ホスト装置であるパーソナルコンピュータ（ＰＣ）１から転送される、圧縮された状態で色ごとの印刷データは、ＣＰＵ７の制御の下、受信バッファ６に格納される。そして、コントローラ５の制御部５０は、上記画像形成ユニットなどによって構成されるプリンタエンジンから印刷データの転送要求があると、受信バッファ６に格納された色ごとの印刷データを対応するデコーダ５１Ｙ、５１Ｍ、５１Ｃ、５１Ｋにそれぞれ送る。これらのデコーダでは、圧縮された印刷データが復元され、後段の対応するＦＩＦＯ５２Ｙ、５２Ｍ、５２Ｃ、５２Ｋにそれぞれ送られる。このＦＩＦＯでエンジン側との同期をとり、それぞれビデオ信号Ｖｉｄｅｏ１〜４としてエンジンへ出力される。つまり、従来は、プリンタコントローラにいて圧縮された印刷データを復元（変換）するためのデコーダの数を複数色のトナー像にて用紙上に画像を形成する画像形成ユニットの数と同じものとしてデコード処理を色ごとに並列して行うものであった（例えば、特許文献１参照。）。
【０００４】
【特許文献１】特開２００３−３３０６３１号公報
【発明の開示】
【発明が解決しようとする課題】
【０００５】
しかしながら、上述した従来のデコード処理に関する構成では、画像形成に用いる用紙の長さＬと複数の画像形成ユニットの配置間隔Ｄの関係で色ごとに設けられたデコーダのうち少なくともいずれか１つを使用しない時間を生じ、結果として、デコーダを有効に用いていないという問題がある。
【０００６】
図２（ａ）および（ｂ）は、この問題を説明する図であり、各色の画像形成ユニット（における感光ドラム）の配置間隔Ｄと用紙の長さＬとの関係を模式的に示す図である。図２においてＬｙ、Ｌｍ、Ｌｃ、ＬｋはそれぞれＶｉｄｅｏ１、Ｖｉｄｅｏ２、Ｖｉｄｅｏ３，Ｖｉｄｅｏ４から出力される画像データに基づいて半導体レーザ（不図示）から照射されるレーザ光を示すものである。そして、同図（ａ）に示すように、用紙が長く１枚の用紙に対する画像形成が４つのドラムによって同時に行われる場合、図１に示したビデオ信号Ｖｉｄｅｏ１〜４を同時に出力する期間が存在する。従って、デコーダ５１Ｙ、５１Ｍ、５１Ｃ、５１Ｋは同時にデコード処理を行う期間がある。
【０００７】
これに対し、図２（ｂ）に示すように、用紙の長さＬが短く１つの用紙に対して同時に画像形成を行うドラムが、例えば、２つの場合、これに応じて、４つのデコーダ５１Ｙ、５１Ｍ、５１Ｃ、５１Ｋのうち、同時に使用されるデコーダは２つとなる。この場合、２つのデコーダは使用されない時間があり、結果として、デコーダを有効に用いていないことになる。
【０００８】
本発明は、この問題を解決するためになされたものであり、その目的とするところは、所定色の受信データの画像データへの変換処理を複数のデータ処理手段にて行うことで受信データの変換処理の高速化を図ることができる画像形成装置を提供することにある。
【課題を解決するための手段】
【０００９】
そのために本発明では、用紙の搬送路に沿って配置された複数の画像形成部により前記用紙上に複数色の画像を重ね合わせてカラー画像を形成する画像形成装置において、外部装置から受信した複数色にかかる受信データを記憶する記憶手段と、前記複数の画像形成部に対応して設けられ、前記受信データを前記画像形成部にて用いる画像データに変換処理する複数のデータ処理手段と、前記記憶手段から前記データ処理手段への前記受信データの転送を制御する制御手段とを有し、前記制御手段は、所定色にかかる前記受信データを前記複数のデータ処理手段のいずれか１つへ転送するよう制御する第１の制御モードと、前記所定色にかかる前記受信データを２以上の複数の前記データ処理手段へ転送するよう制御する第２の制御モードとを有することを特徴とする。
【００１０】
また、複数種類の記録剤を用いて用紙に印刷を行うための画像形成方法であって、前記複数種類の記録剤それぞれに対応した印刷データをデコード処理するデコーダであって、少なくとも前記記録剤の種類の数に対応した数のデコーダと、該デコーダによってデコード処理された印刷データに基づき用紙に対し画像形成を行う手段であって、前記複数の記録剤それぞれに対応した画像形成手段とを用意し、前記複数種類の記録剤における所定の複数の記録剤の印刷データそれぞれについて、複数のデコーダを用いて分割したデコード処理を行い、かつ、当該所定の複数の記録剤の印刷データについて前記複数のデコーダそれぞれにおいて相互に時分割でデコード処理を行わせる、ステップを有したことを特徴とする。
【発明の効果】
【００１１】
本発明によれば、所定色の受信データの画像データへの変換処理を複数のデータ処理手段にて行うことで受信データの変換処理の高速化を図ることができる画像形成装置を提供することができる。
【発明を実施するための最良の形態】
【００１２】
以下、図面を参照して本発明の実施形態を詳細に説明する。
【００１３】
図３は、本発明の一実施形態にかかるプリンタの概略構成を示すブロック図である。
【００１４】
図３に示すように、画像形成装置としてのプリンタ２はパーソナルコンピュータ（ＰＣ）等のホスト装置１から送られる印刷データに基づいて画像形成を行う。ホスト装置１から送られる印刷データは例えばビットマップ形式の画像データを圧縮した形式のデータであり、プリンタ２は、圧縮された画像データを復元するべくデコーダによって変換処理を行う。
【００１５】
プリンタ２は、レーザビームを用いた電子写真方式のエンジン部４を備え、このエンジン部４は、イエロー（Ｙ）、マゼンタ（Ｍ）、シアン（Ｃ）、ブラック（Ｋ）の４種類のトナーに対応してそれぞれ感光ドラム２０１〜２０４などを有して構成される４つの画像形成ユニット４０１〜４０４を具える。
【００１６】
また、プリンタ２は、その全体の制御を実行するコントローラ部３を備える。このコントローラ部３は、印刷データや信号に対して演算処理を行うＡＳＩＣ５、ホスト装置１からの印刷データを受信し、それを圧縮されたまま格納する受信バッファ６、ＡＳＩＣ５の演算処理を制御して、印刷データの処理やエンジン部４の動作など、プリンタ全体の制御を実行する情報処理装置としてのＣＰＵ７を有して構成される。ＡＳＩＣ５は、エンジン部４の４つの画像形成ユニット４０１〜４０４に対応して４つのデコーダ５０１〜５０４と４つのＦＩＦＯバッファ５０５〜５０８を有する他、後述のように、ビデオデータ（画像データ）を複数の画像形成ユニット４０１〜４０４のうちいずれへ転送するかの転送先切り替えのためのセレクタ５０９を有する。また、受信バッファ６は、Ｙ、Ｍ、Ｃ、Ｋの各色の印刷データを複数の領域に分割して格納することができるＤＲＡＭによって構成される。
【００１７】
ホスト装置１から転送されたデータは、後述されるように、一度受信バッファ６に色ごとの領域に分けて格納される。この受信データは、エンジン部４からの要求に応じて、受信バッファ６の各エリア（Ｙｅｖｅｎ、Ｍｅｖｅｎ、Ｃｅｖｅｎ、Ｋｅｖｅｎ、Ｙｏｄｄ、Ｍｏｄｄ、Ｃｏｄｄ、Ｋｏｄｄ）から読み出され、ＡＳＩＣ５のデコーダで復元されてビデオデータに変換される。そして、デコーダ５０１〜５０４からＦＩＦＯバッファ５０５〜５０８に転送されたビデオデータは、エンジン部４の画像形成ユニット４０１〜４０４に送られて、用紙への画像形成が行われる。ここで、受信バッファ６に記憶された所定色（例えばイエロー）の印刷データの転送先としては、所定色に対応する画像形成ユニット（例えば、イエローの画像形成ユニット４０１）に対応して設けられたデコーダ（例えば、デコーダ５０１）が選択される場合もあれば、所定色（例えば、イエロー）の印刷データの転送先として複数のデコーダ（例えば、デコーダ５０１と５０２）が選択される場合もある。ＣＰＵ７は、これらの指示をＡＳＩＣ５に対して行う。
【００１８】
以上説明した構成に基づく本発明のいくつかの実施形態について以下に説明する。
【００１９】
（第１実施形態）
本発明の第１実施形態は、図２（ｂ）に示したように、４つの画像形成ユニットを備えたプリンタにおいて印刷に用いる用紙長Ｌが、２つの画像形成ユニットによって同時に画像形成が行われるが、３つの画像形成ユニットによって同時に画像形成が行われることはない長さの場合、すなわち、各画像形成ユニットの配置間隔をＤとするとき、印刷用紙の長さＬが２Ｄ以下でＤより大である場合における、４つのデコーダを有効利用する構成に関するものである。
【００２０】
図４は、本発明の第一の実施形態にかかる、特に、ＡＳＩＣ５の詳細な構成を示すブロック図である。
【００２１】
図４において、ホスト装置１は、プリンタ２から得た画像形成ユニットの情報である距離Ｄと印刷に用いる用紙の長さＬとの関係に基づいて、同時に使用する画像形成ユニットの数を求める。なお、図２は電子写真方式にて用紙にトナー像を形成するプリンタ２の一部を示したものであり、搬送方向の上流から下流に向かって設けられた各色の画像形成ユニット４０１〜４０４は、記録剤であるトナーを担持する像担持体としての感光ドラム２０１〜２０４と、各感光ドラム上にビデオデータに応じた静電潜像を形成するためのレーザ光露光ユニット（不図示）と、感光ドラム上に形成された静電潜像をトナーにて現像するための現像ユニット２０５〜２０８を備える。
本実施形態では、印刷用紙の長さＬが２Ｄより大である場合（第１の場合）と、２Ｄ以下でＤより大である場合（第２の場合）とで制御モードを第１の制御モードと第２の制御モードとで異ならせる。
【００２２】
すなわち、第２の場合においては、同時にビデオデータが用いられる画像形成ユニットは最大で２つとなる（図２（ｂ）ではＹの画像形成ユニットと、Ｍの画像形成ユニット）。そしてこの場合、ホスト装置１は、制御部５００を介して４つのデコーダ５０１〜５０４の総てが同時に用いられるよう、Ｙ、Ｍ、Ｃ、Ｋの各印刷データについて、４つのデコーダ５０１〜５０４の使用割り当てを行う。つまり、図２（ｂ）の状態ではＣ印刷データとＫ印刷データはデコーダにて変換処理する必要がないことから、Ｙ印刷データについては、デコーダ５０１、５０２の２つを用いて変換処理を行い、Ｍデータについてデコーダ５０３、５０４を用いて変換処理を行うよう割り当てる。そして、Ｙ印刷データをデコーダ５０１及び５０２で全て変換処理してＣ印刷データについてＹ印刷データと同じデコーダ５０１、５０２を使用するよう割り当てる。また、ＫデータについてＭデータと同じデコーダ５０３、５０４を使用するように割り当てる。ホスト装置１は、上記の割り当て処理の後、各色の画像データを色毎に圧縮して受信バッファ６へ転送する。その際、圧縮するバンド幅（ライン数）は、ＦＩＦＯバッファ５０５〜５０８それぞれの容量（ライン数）に合わせて圧縮する。例えば、ＦＩＦＯバッファの容量が１０ラインであるときは、ホスト装置１で圧縮する単位が１０ラインを１バンドとする。そして、これをｅｖｅｎバンドとｏｄｄバンドとしてプリンタ２へ転送する。
一方、第１の場合、すなわち印刷用紙の長さが２Ｄより大である場合は、Ｙ印刷データについてはデコーダ５０１を、Ｍ印刷データについてはデコーダ５０２を、Ｃ印刷データについてはデコーダ５０３を、Ｋ印刷データについてはデコーダ５０４をそれぞれ割り当てる。
【００２３】
図５は、受信バッファ６における印刷データの記憶領域の割り当てを示す図であり、図５(ａ)は前述の第１の場合における受信バッファ６の割り当てを、図５（ｂ）は前述の第２の場合における受信バッファ６の割り当てを示している。
【００２４】
図５（ｂ）に示すように、第２の場合における受信バッファ６は、転送された各色の印刷データをｅｖｅｎバンドとｏｄｄバンドを分割した領域に格納する。これにより、８分割の受信バッファとなる。また、図５（ａ）に示すように、第１の場合における受信バッファ６は、印刷データを各色ごとに４つの領域に分割して格納する。
【００２５】
以上のように、ホスト装置１からの印刷データの受信を終了した後、図２（ｂ）に示した用紙の搬送路に沿った画像形成ユニット４０１〜４０４（図４）の配列順に従い、先ず、Ｙ、Ｍの圧縮印刷データを、受信バッファ６から、それぞれｅｖｅｎバンド、ｏｄｄバンドの順で４つのデコーダ５０１〜５０４へ転送し、Ｙのｅｖｅｎバンドデータはデコーダ５０１で、Ｙのｏｄｄバンドデータはデコーダ５０２で、Ｍのｅｖｅｎバンドデータはデコーダ５０３で、Ｍのｏｄｄバンドデータはデコーダ５０４で、それぞれでデコードが行われる。そして、復元された印刷データ（ビデオデータ）はそれぞれ対応するＦＩＦＯバッファ５０５〜５０８に入力し、エンジン部４におけるＹ、Ｍのドラムによる順次の画像形成に同期して、セレクタ５０９を介し順次ビデオＩ／Ｆ５１０に出力される。
【００２６】
さらに、この出力に同期しつつ処理が終了したデコーダに対して、受信バッファ６からＣ、Ｋの圧縮印刷データをそれぞれｅｖｅｎバンド、ｏｄｄバンドの順で４つのデコーダ５０１〜５０４へ転送し、Ｃのｅｖｅｎバンドデータはデコーダ５０１で、Ｃのｏｄｄバンドデータはデコーダ５０２で、Ｋのｅｖｅｎバンドデータはデコーダ５０３で、Ｋのｏｄｄバンドデータはデコーダ５０４で、それぞれでデコードが行われる。そして、復元された印刷データ（ビデオデータ）はそれぞれ対応するＦＩＦＯバッファ５０５〜５０８に入力し、エンジン部４におけるＣ、Ｋのドラムによる順次の画像形成に同期してセレクタ５０９を介し順次ビデオＩ／Ｆ５１０に出力される。
【００２７】
図６は、上記のように出力されるビデオデータの出力タイミングを示すタイミングチャートである。
【００２８】
同図に示すように、セレクタ５０９による出力先の切り替えによって、ビデオＩ／Ｆ５１０は、ｔ０〜ｔ１の間、ＦＩＦＯバッファ５０５、５０６からのビデオデータをＶｉｄｅｏ１（Ｙ）へ出力する。次に、ｔ１〜ｔ２の間、ＦＩＦＯバッファ５０５、５０６からのビデオデータをＶｉｄｅｏ１（Ｙ）へ出力するとともに、ＦＩＦＯバッファ５０７、５０８からのビデオデータをＶｉｄｅｏ２（Ｍ）へ出力する。次に、ｔ２〜ｔ３の間、ＦＩＦＯバッファ５０７、５０８からのビデオデータをＶｉｄｅｏ２（Ｍ）へ出力するとともに、ＦＩＦＯバッファ５０５、５０６からのビデオデータをＶｉｄｅｏ３（Ｃ）へ出力する。さらに、ｔ３〜ｔ４の間、ＦＩＦＯバッファ５０５、５０６からのビデオデータをＶｉｄｅｏ３（Ｃ）へ出力するとともに、ＦＩＦＯバッファ５０７、５０８からのビデオデータをＶｉｄｅｏ４（Ｋ）へ出力する。その後、さらに、ＦＩＦＯバッファ５０７、５０８からのビデオデータをＶｉｄｅｏ４（Ｋ）へ出力する。
【００２９】
以上のタイミングによるビデオデータの出力により、エンジン部４では、図２（ｂ）に示すように長さＬの用紙が、図中矢印の方向に搬送される間に、Ｙ、Ｍ、Ｃ、Ｋのドラム（画像形成ユニット）によってこの順で画像形成が行われる。
【００３０】
以上説明したように、本実施形態によれば、エンジン部における画像形成タイミングが４つの色で同時にはならず２つの色で同時になることがある場合は、それら画像形成のタイミングにある２つの色の印刷データのデコードをそれぞれ２つのデコーダを用いて行うことができ、４つのデコーダを有効利用することができる。その結果、例えば、データ転送が間に合わずに印刷に支障をきたすことが少なくなるばかりか、圧縮率が悪くデコードの速度が間に合わないようなデータでもデコードの速度が見かけ上２倍になるので、そのようなデータに対応して印刷を行うことが可能となる。
【００３１】
図７は、以上説明した本実施形態の印刷に関する処理を示すフローチャートである。
【００３２】
なお、図７における処理は、コントローラ部３が実行する処理である。
【００３３】
ステップＳ７０１で、コントローラ部３は、プリンタ２の構成に関する情報をホスト装置１へ送る。この情報は、受信バッファ６のサイズ（記憶容量）、画像形成ユニット４０１〜４０４の配置間隔Ｄ、ＦＩＦＯバッファのサイズ（記憶容量）等である。なお配置間隔Ｄとは用紙と感光ドラムとが接する位置の間隔であり、図２におけるＴ１〜Ｔ２間、Ｔ２〜Ｔ３間、Ｔ３〜Ｔ４間の距離を示すものである。
【００３４】
ステップＳ７０２で、コントローラ部３は、ホスト装置１から、上記情報に基づいた、受信バッファ６の領域分割に関する設定、所定色の印刷データを複数のデコーダの何れへ転送するべきかを割り当てるかの設定情報、セレクタ５０９の切り替えそれぞれについての設定情報を受信するとともに、それらの情報に応じた設定を行う。
【００３５】
また、ステップＳ７０２で、コントローラ部３は、受信した複数色にかかる印刷データを、図５（ｂ）にて上述したように、本実施形態では、Ｙのｅｖｅｎ、Ｙのｏｄｄ、Ｍのｅｖｅｎ、Ｍのｏｄｄ、Ｃのｅｖｅｎ、Ｃのｏｄｄ、Ｋのｅｖｅｎ、Ｋのｏｄｄの８つの領域に分割して受信バッファ６へ記憶させる。
【００３６】
ステップＳ７０３で、コントローラ部３は、ステップＳ７０２にてホスト装置１から受信した受信バッファの割り当て情報に基づいて、受信バッファ６への受信データの割り当てが、印刷用紙の長さＬが２Ｄ以下でＤより大である場合（第２の場合）の割り当てであるか、２Ｄより大である場合（第１の場合）の割り当てであるかを判断する。すなわち、コントローラ部３は、第１の場合の割り当てであれば第１の制御モードと判断してステップＳ７０４へ進み、第２の場合の割り当てであれば第２の制御モードと判断してステップＳ７０６へ進む。
【００３７】
まず、第１の制御モードであるステップＳ７０４及びステップＳ７０５の動作について説明する。
【００３８】
ステップＳ７０４で、コントローラ部３は、Ｙ印刷データをデコーダ５０１へ、Ｍ印刷データをデコーダ５０２へ、Ｃ印刷データをデコーダ５０３へ、Ｋ印刷データをデコーダ５０４へそれぞれ転送する。
【００３９】
ステップＳ７０５で、コントローラ部３は、Ｙ、Ｍ、Ｃ、Ｋ全てのビデオデータを画像形成ユニット４０１〜４０４へ出力して用紙へのトナー像の形成を終了すると、用紙への画像形成を終了したものと判断する。
【００４０】
次に、第２の制御モードであるステップＳ７０６〜７１１の動作について説明する。
ステップＳ７０６で、コントローラ部３は、デコーダの割り当ての設定として、上述したように、Ｙのｏｄｄデータをデコーダ５０１に、Ｙのｅｖｅｎデータをデコーダ５０２に、Ｍのｅｖｅｎデータをデコーダ５０３に、Ｍのｏｄｄデータをデコーダ５０４にそれぞれ割り当てるよう設定する。
【００４１】
セレクタの切り替え設定は、同様に上述したように、ＦＩＦＯバッファ５０５の出力をＶｉｄｅｏ１（Ｙ）に、ＦＩＦＯバッファ５０６の出力をＶｉｄｅｏ１（Ｙ）に、ＦＩＦＯバッファ５０７の出力をＶｉｄｅｏ２（Ｍ）に、ＦＩＦＯバッファ５０８の出力をＶｉｄｅｏ２（Ｍ）にそれぞれ出力するよう設定する。
【００４２】
従って、コントローラ部３は、Ｙｅｖｅｎをデコーダ５０１へ転送し、Ｙｏｄｄをデコーダ５０２へ転送し、Ｍｅｖｅｎをデコーダ５０３へ転送し、Ｍｏｄｄをデコーダ５０４へ転送するよう制御する。
【００４３】
なお、デコーダ５０１は、エンジン部４からの要求に応じて、Ｙｅｖｅｎの受信データの復元を行いつつＦＩＦＯバッファ５０５を介してＹｅｖｅｎの画像データをＹの画像を形成する画像形成ユニット４０１にビデオデータとして出力する。また、デコーダ５０２も、デコーダ５０１と同様に、Ｙｏｄｄの画像データをＹの画像を形成する画像形成ユニット４０１にビデオデータとして出力する。なお、コントローラ部３は、２つのデコーダ５０１及び５０２から出力された複数行にかかる画像データ（バンドデータ）を１つの画像データとして画像形成ユニット４０１へ出力されるよう、ＦＩＦＯバッファ５０５から所定行数分（１つのバンドデータを構成する行数分）の画像データを出力した後に、ＦＩＦＯバッファ５０６から所定行数分の画像データを出力するよう制御する。
【００４４】
ステップＳ７０７で、コントローラ部３は、Ｙ画像データが画像形成ユニット４０１へ全て出力されてＹの画像形成が終了したか否かを判定する。コントローラ部３は、終了を判断すると、ステップＳ７０８へ進みＣの印刷データについて、Ｃのｏｄｄデータをデコーダ５０１に、Ｃのｅｖｅｎデータをデコーダ５０２にそれぞれ割り当てるよう設定を変更する。また、セレクタ５０９の切り替え設定は、ＦＩＦＯバッファ５０５及び５０６からＹの画像データの出力が終わったときに行い、ＦＩＦＯバッファ５０５の出力をＶｉｄｅｏ３（Ｃ）に、ＦＩＦＯバッファ５０６の出力をＶｉｄｅｏ３（Ｃ）に出力するよう設定変更する。
【００４５】
ステップＳ７０９で、コントローラ部３は、Ｍ画像データが画像形成ユニット４０２へ全て出力されてＭの画像形成が終了したか否かを判定する。コントローラ部３は、終了を判断すると、ステップＳ７１０へ進み、Ｋの印刷データについて、Ｋのｏｄｄデータをデコーダ５０３に割り当て、Ｋのｅｖｅｎデータをデコーダ５０４に割り当てるよう設定変更する。また、セレクタ５０９の切り替え設定は、ＦＩＦＯバッファ５０７及び５０８からＭの画像データの出力が終わったときに行い、ＦＩＦＯバッファ５０７の出力をＶｉｄｅｏ４（Ｋ）に、ＦＩＦＯ５０８の出力をＶｉｄｅｏ４（Ｋ）にそれぞれ出力するよう設定変更する。最後に、ステップＳ７１１で、コントローラ部３は、Ｃ及びＫの画像形成が終了したことを判断すると、本処理を終了する。
【００４６】
（第２実施形態）
本発明の第２実施形態は、図８（ｂ）に示すように、用紙の長さＬが、各画像形成ユニット（ドラム）間の距離をＤとするとき、３Ｄ以下で２Ｄより長い場合における、デコーダの使用の仕方に関するものである。なお、図８（ａ）は、図２（ａ）と同じ状態を示す図であり、ここではその説明を省略する。
本実施形態では、印刷用紙の長さＬが３Ｄより大である場合（第３の場合）と、３Ｄ以下２Ｄより大である場合（第３の場合）と、で制御モードを第３の制御モードと第４の制御モードとで異ならせる。なお、第３の制御モードとは、第１実施例における第１の制御モードと同様の制御となる。
【００４７】
図８（ｂ）に示すように、第４の場合は、１枚の用紙に対して同時に画像形成を行う画像形成ユニットの数は、最大３つになる。この場合、同じタイミングで使用するデコーダやＦＩＦＯの数は３つとなる。
【００４８】
第２実施形態では、この場合において、図８（ｂ）に示す各色の画像形成ユニットの配列で両端に位置するＹとＫの２色についてデコーダとＦＩＦＯバッファを同時に２つ使用するようにする。
【００４９】
図９は、本発明の第２実施形態にかかる、特に、図３に示したＡＳＩＣ５の詳細な構成を示すブロック図であり、第１実施形態にかかる図４と同様の図である。同図に示すように、デコーダ５０１、５０２とＦＩＦＯバッファ５０５、５０６が、用紙の搬送方向最上流に位置する画像形成ユニット４０１にかかるＹと、用紙の搬送方向最下流に位置する画像形成ユニット４０４にかかるＫの印刷データによって時分割に使用される。また、これに応じて、図１０（ｂ）に示すように、本実施形態の受信バッファ６は、転送されたＹとＫの印刷データをｅｖｅｎバンドとｏｄｄバンドを分割した領域に格納する。これにより、Ｙ及びＫの印刷データについては２つの領域に分割され、Ｍ及びＣの印刷データについてはおのおの１つの領域を有する、合計で６分割の受信バッファとなる。同図（ａ）は、第３の制御モードにおける受信バッファ（４分割）を示す図である。
【００５０】
以上の構成において、ホスト装置１からの印刷データの受信を終了した後、図８（ｂ）に示した用紙の搬送路に沿った画像形成ユニット４０１〜４０４の用紙の搬送方向上流からの配列順に従い、先ず、Ｙのｅｖｅｎバンドデータをデコーダ５０１に、Ｙのｏｄｄバンドデータをデコーダ５０２に、Ｍのバンドデータをデコーダ５０３に、Ｃのバンドデータをデコーダ５０４に、それぞれ転送しそれぞれのデコーダでデコードが行われる。そして、復元された印刷データ（ビデオデータ）はそれぞれ対応するＦＩＦＯバッファ５０５〜５０８に入力し、エンジン部４におけるＹ、Ｍの画像形成ユニット４０１及び４０２による順次の画像形成に同期して、セレクタ５０９を介し順次ビデオＩ／Ｆ５１０に出力される。
【００５１】
さらに、この出力に同期しつつ変換処理が終了したデコーダ５０１及び５０２に対して、受信バッファ６からＫのｅｖｅｎバンドデータをデコーダ５０１に、Ｋのｏｄｄバンドデータをデコーダ５０２に、それぞれ転送しそれぞれでデコードが行われる。そして、復元された印刷データ（ビデオデータ）はそれぞれ対応するＦＩＦＯ５０５、５０６に入力し、エンジン部４におけるＣ、Ｋのドラムによる順次の画像形成に同期してセレクタ５０９を介し順次ビデオＩ／Ｆ５１０に出力される。
【００５２】
図１１は、上記のように出力されるビデオデータの出力タイミングを示すタイミングチャートである。
【００５３】
同図に示すように、セレクタ５０９による出力先の切り替えによって、ビデオＩ／Ｆ５１０は、ｔ０〜ｔ１の間、ＦＩＦＯバッファ５０５、５０６からのビデオデータをＶｉｄｅｏ１（Ｙ）へ出力する。
【００５４】
次に、ｔ１〜ｔ２の間は、ＦＩＦＯバッファ５０５、５０６からのビデオデータをＶｉｄｅｏ１（Ｙ）へ出力するとともに、ＦＩＦＯバッファ５０７からそれぞれのビデオデータをＶｉｄｅｏ２（Ｍ）へ出力する。
【００５５】
次に、ｔ２〜ｔ３の間は、ＦＩＦＯバッファ５０５、５０６からのビデオデータをＶｉｄｅｏ１（Ｙ）へ出力し、また、ＦＩＦＯ５０７からのビデオデータをＶｉｄｅｏ２（Ｍ）へ出力するとともに、ＦＩＦＯバッファ５０７からのビデオデータをＶｉｄｅｏ３（Ｃ）へ出力する。
【００５６】
さらに、ｔ３〜ｔ４の間、ＦＩＦＯバッファ５０７からのビデオデータをＶｉｄｅｏ２（Ｍ）へ出力するとともに、ＦＩＦＯバッファ５０８からのビデオデータをＶｉｄｅｏ３（Ｃ）へ出力する。
【００５７】
さらに、ｔ４〜ｔ５の間は、ＦＩＦＯバッファ５０７からのビデオデータをＶｉｄｅｏ２（Ｍ）へ出力し、また、ＦＩＦＯバッファ５０８からのビデオデータをＶｉｄｅｏ３（Ｃ）へ出力するとともに、ＦＩＦＯバッファ５０５、５０６からのビデオデータをＶｉｄｅｏ４（Ｋ）へ出力する。
【００５８】
ｔ５〜ｔ６の間は、ＦＩＦＯバッファ５０８からのビデオデータをＶｉｄｅｏ３（Ｃ）へ出力するとともに、ＦＩＦＯバッファ５０５、５０６からのビデオデータをＶｉｄｅｏ４（Ｋ）へ出力する。
【００５９】
その後、さらに、ＦＩＦＯバッファ５０５、５０６からのビデオデータをＶｉｄｅｏ４（Ｋ）へ出力する。
【００６０】
以上のタイミングによるビデオデータの出力により、エンジン部４では、図８（ｂ）に示すように長さＬの用紙が、図中矢印の方向に搬送される間に、Ｙ、Ｍ、Ｃ、Ｋのドラム（画像形成ユニット）によってこの順で画像形成が行われる。
【００６１】
以上説明したように、本実施形態によれば、エンジン部４における画像形成タイミングが４つの色で同時にはならず３つの色で同時になることがある場合は、それら画像形成のタイミングにある３つの色のうち、画像形成ユニットが両端に配される２つの色の印刷データのデコードをそれぞれ２つのデコーダを用いて行うことができ、これにより、４つのデコーダを有効利用することができる。その結果、例えば、データ転送が間に合わずに印刷に支障をきたすことが少なくなるばかりか、圧縮率が悪くデコードの速度が間に合わないようなデータでも、ＹとＫについてはデコードの速度が見かけ上２倍になるので、そのようなデータに対応して印刷を行うことが可能となる。
【００６２】
図１２は、以上説明した本実施形態の印刷に関する処理を示すフローチャートである。  なお、図１２における処理は、コントローラ部３が実行する処理である。
【００６３】
ステップＳ１２０１で、コントローラ部３は、プリンタ２の構成に関する情報をホスト装置１へ送る。この情報は、受信バッファ６のサイズ（記憶容量）、画像形成ユニット４０１〜４０４の配置間隔Ｄ、ＦＩＦＯのサイズ等である。なお配置間隔Ｄとは用紙と感光ドラムとが接する位置の間隔であり、図２におけるＴ１〜Ｔ２間、Ｔ２〜Ｔ３間、Ｔ３〜Ｔ４間の距離を示すものである。ステップＳ１２０２で、コントローラ部１は、ホスト装置１から、上記情報に基づいた、受信バッファ６の領域分割に関する設定、所定色の印刷データを複数のデコーダの何れへ転送するべきかを割り当てるかの設定情報、セレクタ５０９の切り替えそれぞれについての設定情報を受信するとともに、それらの情報に応じた設定を行う。
【００６４】
また、ステップＳ１２０２で、コントローラ部３は、受信した複数色にかかる印刷データを、図１０（ｂ）にて上述したように、本実施形態では、Ｙのｅｖｅｎ、Ｙのｏｄｄ、Ｍ、Ｃ、Ｋのｅｖｅｎ、Ｋのｏｄｄの６つの領域に分割して受信バッファ６へ記憶させる。
【００６５】
ステップＳ１２０３で、コントローラ部３は、ステップＳ１２０２にてホスト装置１から受信した受信バッファの割り当て情報に基づいて、受信バッファ６への受信データの割り当てが、印刷用紙の長さＬが３Ｄ以下で２Ｄより大である場合（第４の場合）の割り当てであるか、３Ｄより大である場合（第３の場合）の割り当てであるかを判断する。すなわち、コントローラ部３は、第３の場合の割り当てであれば第３の制御モードと判断してステップＳ１２０４へ進み、第４の場合の割り当てであれば第４の制御モードと判断してステップＳ１２０６へ進む。
【００６６】
まず、第３の制御モードであるステップＳ１２０４及びステップＳ１２０５の動作について説明する。
ステップＳ１２０４で、コントローラ部３は、Ｙ印刷データをデコーダ５０１へ、Ｍ印刷データをデコーダ５０２へ、Ｃ印刷データをデコーダ５０３へ、Ｋ印刷データをデコーダ５０４へそれぞれ転送する。
ステップＳ１２０５で、コントローラ部３は、Ｙ、Ｍ、Ｃ、Ｋ全てのビデオデータを画像形成ユニット４０１〜４０４へ出力して用紙へのトナー像の形成を終了すると、用紙への画像形成を終了したものと判断する。
【００６７】
次に、第４の制御モードであるステップＳ１２０６〜１２０９の動作について説明する。
ステップＳ１２０６で、コントローラ部３は、デコーダの割り当ての設定として、上述したように、Ｙのｏｄｄデータをデコーダ５０１に、Ｙのｅｖｅｎデータをデコーダ５０２に、Ｍのデータをデコーダ５０３に、Ｃのデータをデコーダ５０４にそれぞれ割り当てるよう設定する。
【００６８】
セレクタの切り替え設定は、同様に上述したように、ＦＩＦＯバッファ５０５の出力をＶｉｄｅｏ１（Ｙ）に、ＦＩＦＯバッファ５０６の出力をＶｉｄｅｏ１（Ｙ）に、ＦＩＦＯバッファ５０７の出力をＶｉｄｅｏ２（Ｍ）に、ＦＩＦＯ５０８の出力をＶｉｄｅｏ３（Ｃ）にそれぞれ出力するよう設定する。
従って、コントローラ部３は、Ｙｅｖｅｎをデコーダ５０１へ転送し、Ｙｏｄｄをデコーダ５０２へ転送し、Ｍをデコーダ５０３へ転送し、Ｃをデコーダ５０４へ転送するよう制御する。
なお、デコーダ５０１は、エンジン部４からの要求に応じて、Ｙｅｖｅｎの受信データの復元を行いつつＦＩＦＯバッファ５０５を介してＹｅｖｅｎの画像データをＹの画像を形成する画像形成ユニット４０１にビデオデータとして出力する。なお、コントローラ部３は、２つのデコーダ５０１及び５０２から出力された複数行にかかる画像データ（バンドデータ）を１つの画像データとして画像形成ユニット４０１へ出力されるよう、ＦＩＦＯバッファ５０５から所定行数分（１つのバンドデータを構成する行数分）の画像データを出力した後に、ＦＩＦＯバッファ５０６から所定行数分の画像データを出力するよう制御する。
【００６９】
ステップＳ１２０７で、コントローラ部３は、Ｙ画像データが画像形成ユニット４０１へ全て出力されてＹの画像形成が終了したか否かを判定する。コントローラ部３は、終了を判断すると、ステップＳ１２０８へ進みＫの印刷データについて、Ｋのｏｄｄデータをデコーダ５０１に、Ｋのｅｖｅｎデータをデコーダ５０２にそれぞれ割り当てるよう設定を変更する。また、セレクタ５０９の切り替え設定は、ＦＩＦＯバッファ５０５及び５０６からＹの画像データの出力が終わったときに行い、ＦＩＦＯバッファ５０５の出力をＶｉｄｅｏ４（Ｋ）に、ＦＩＦＯ５０６の出力をＶｉｄｅｏ４（Ｋ）にそれぞれ出力するよう設定変更する。最後に、ステップＳ１２０９で印刷が終了したことを判断すると、本処理を終了する。
【００７０】
（他の実施形態）
以上説明した実施形態は、レーザビームを用いた電子写真方式の印刷装置を例にとり説明したが、本発明は、記録剤としてインクを用いるインクジェット方式の印刷方式にも適用することができる。詳しくは、搬送される用紙の幅に対応したノズル列を備えた色ごとの記録ヘッドを用紙の搬送路に沿って配列した、いわゆるフルラインタイプの印刷装置において、搬送される用紙に対して同時にインクを吐出する記録ヘッドの数に応じて、デコーダの使用の仕方を設定することができる。
【００７１】
また、上記の各実施形態は、ホスト装置からデコーダやＦＩＦＯの設定をし、また、印刷データを設定するものとしたが、このような設定を印刷装置自身で行ってもよく、また、例えば、読み取り装置を備えて複写機能をも実行できる多機能プリンタなど、印刷データを印刷装置自身が供給するものであってもよい。
【００７２】
（さらに他の実施形態）
本発明は上述のように、複数の機器（たとえばホストコンピュータ、インタフェース機器、リーダ、プリンタ等）から構成されるシステムに適用しても一つの機器（たとえば複写機、ファクシミリ装置）からなる装置に適用してもよい。
【００７３】
また、図６、図７、図１１、図１２などで前述した実施形態の機能を実現するように各種のデバイスを動作させるように該各種デバイスと接続された装置あるいはシステム内のコンピュータに、前記実施形態機能を実現するためのソフトウェアのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【００７４】
またこの場合、前記ソフトウェアのプログラムコード自体が前述した実施形態の機能を実現することになり、そのプログラムコード自体、およびそのプログラムコードをコンピュータに供給するための手段、例えばかかるプログラムコードを格納した記憶媒体は本発明を構成する。
【００７５】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００７６】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【００７７】
さらに供給されたプログラムコードが、コンピュータの機能拡張ボードやコンピュータに接続された機能拡張ユニットに備わるメモリに格納された後そのプログラムコードの指示に基づいてその機能拡張ボードや機能拡張ユニットに備わるＣＰＵ等が実際の処理の一部または全部を行い、その処理によって前述した実施形態の機能が実現される場合も本発明に含まれることは言うまでもない。
【図面の簡単な説明】
【００７８】
【図１】一従来例に係るプリンタの、特に、デコード処理の構成を示す図である。
【図２】（ａ）および（ｂ）は、各色の感光ドラムと記録用紙の長さとの関係を模式的に示す図である。
【図３】本発明の一実施形態にかかるプリンタの概略構成を示すブロック図である。
【図４】本発明の第一の実施形態にかかる、図３に示したＡＳＩＣ５の詳細な構成を示すブロック図である。
【図５】（ａ）および（ｂ）は、それぞれ従来の受信バッファと第１実施形態の受信バッファを示す図である。
【図６】図４に示す構成におけるビデオデータの出力タイミングを示すタイミングチャートである。
【図７】本発明の第一の実施形態の印刷に関する処理を示すフローチャートである。
【図８】（ａ）および（ｂ）は、各色の感光ドラムと記録用紙の長さとの関係の他の例を模式的に示す図である。
【図９】本発明の第二の実施形態にかかる、特に、図３に示したＡＳＩＣ５の詳細な構成を示すブロック図である。
【図１０】（ａ）および（ｂ）は、それぞれ従来の受信バッファと第２実施形態の受信バッファを示す図である。
【図１１】図９に示す構成におけるビデオデータの出力タイミングを示すタイミングチャートである。
【図１２】本発明の第二の実施形態の印刷に関する処理を示すフローチャートである。
【符号の説明】
【００７９】
１    ホストコンピュータ（ＰＣ）
２    プリンタ
３    コントローラ
４    エンジン部
５    ＡＳＩＣ
６    受信バッファ（ＲＡＭ）
７    ＣＰＵ
５００    制御部
５０１、５０２、５０３、５０４    デコーダ
５０５、５０６、５０７、５０８    ＦＩＦＯ
５０９    セレクタ
５１０    ビデオＩ／Ｆ
【図１】
2005283904.tif 000003
【図２】
2005283904.tif 000004
【図３】
2005283904.tif 000005
【図４】
2005283904.tif 000006
【図５】
2005283904.tif 000007
【図６】
2005283904.tif 000008
【図７】
2005283904.tif 000009
【図８】
2005283904.tif 000010
【図９】
2005283904.tif 000011
【図１０】
2005283904.tif 000012
【図１１】
2005283904.tif 000013
【図１２】
2005283904.tif 000014